(57)【要約】【課題】正確かつ効率的に作業対象の確認を行うことができるＩＣタグ認識装置を提供する。【解決手段】対象物に設置されるＩＣタグ１００と、ＩＣタグ１００に電磁波３０１を照射する照射装置３００と、対象物の識別情報及び作業情報等の各種情報を管理する情報管理装置２００とを備え、ＩＣタグ１００は、対象物の識別情報を格納する記憶部１０９と、照射装置３００からの電磁波３０１に基づいて電源を起動する電源部１０２と、ＩＣタグ１００における電波信号１１７の送受信を行う電波通信部と、作業者に情報を報知するための発光部１１０と、電源部１０２によりＩＣタグ１００が起動されると、記憶部１０９に記憶された識別情報を電波通信部を介して送信し、その識別情報を用いて情報管理装置で行われる作業情報に関する照合処理の結果に基づいて、発光部１１０を制御する識別制御部１０８とを備える。【選択図】図１
2014115730.tif 000002
【特許請求の範囲】
【請求項１】
対象物に設置されるＩＣタグと、
前記ＩＣタグに電磁波を照射する照射装置と、
前記対象物の識別情報及び作業情報等の各種情報を管理する情報管理装置とを備えたＩＣタグ認識システムであって、
前記ＩＣタグは、
前記対象物の識別情報を格納する記憶部と、
前記照射装置からの電磁波に基づいて電源を起動する電源部と、
前記ＩＣタグにおける電波信号の送受信を行う電波通信部と、
作業者に情報を報知するための発光部と、
前記電源部により前記ＩＣタグが起動されると、前記記憶部に記憶された識別情報を前記電波通信部を介して送信し、その識別情報を用いて前記情報管理装置で行われる作業情報に関する照合処理の結果に基づいて、前記発光部を制御する識別制御部と
を備えたことを特徴とするＩＣタグ認識システム。
【請求項２】
請求項１記載のＩＣタグ認識システムにおいて、
前記ＩＣタグと前記情報管理装置の間の情報伝達経路に配置され、識別情報を格納する記憶部と、前記照射装置からの電磁場に基づいて電源を起動する電源部と、前記ＩＣタグとの電波信号の送受信を行う電波通信部と、作業者に情報を報知するための発光部とを有する第２のＩＣタグと、
前記ＩＣタグと前記情報管理装置の間の情報伝達経路に配置され、識別情報を格納する記憶部と、前記照射装置からの電磁場に基づいて電源を起動する電源部と、前記情報管理装置との電波信号の送受信を行う電波通信部と、作業者に情報を報知するための発光部とを有する第３のＩＣタグとをさらに備え、
前記第２及び第３のＩＣタグは、
前記第２及び第３のＩＣタグの間で電気信号の送受信を行う電気通信部と、
前記電源部により前記第２及び第３のＩＣタグが起動されると、前記記憶部に記憶された識別情報を前記情報管理装置に送り、前記情報管理装置で行われる作業情報に関する照合処理の結果に基づいて、前記発光部を制御する識別制御部を有することを特徴とするＩＣタグ認識システム。
【請求項３】
請求項１記載のＩＣタグ認識システムにおいて、
前記情報管理装置は、
前記照射装置からの電磁波に基づいて電源を起動する電源部と、
前記ＩＣタグとの電波信号の送受信を行う電波通信部と、
作業者に情報を報知するための発光部と、
前記電源部により電源が起動されると、前記ＩＣタグの識別情報を用いた照合処理の結果に基づいて、前記発光部を制御する識別制御部とを有することを特徴とするＩＣタグ認識システム。
【発明の詳細な説明】
【技術分野】
【０００１】
本発明は、ＩＣタグに記録された情報を認識するＩＣタグ認識システムに関する。
【背景技術】
【０００２】
対象物に設置されたＩＣタグ（Integrated Circuit Tag）に記録された情報を読み取ることにより、その対象物に関する各種情報を認識する技術が知られており、例えば、特許文献１（特開平０９−１１６４７３号公報）には、可視光を含んだ変調された赤外線信号を受信したときに、ＲＯＭに記憶された情報を高周波キャリアに重畳して発振し、その情報をワイヤレス基地局で受信することにより認識するワイヤレスタグに関する技術が開示されている。
【先行技術文献】
【特許文献】
【０００３】
【特許文献１】特開平０９−１１６４７３号公報
【発明の概要】
【発明が解決しようとする課題】
【０００４】
従来技術において、作業者は、作業対象物に配置されたワイヤレスタグから発信された識別ＩＤ、位置座標、設備属性などの情報をワイヤレス携帯基地局等により確認している。そして、作業者はワイヤレス携帯基地局に表示された識別ＩＤなどの情報を基に、作業対象であるかどうかを確認する。
【０００５】
しかしながら、上記従来技術においては、ワイヤレスタグの配置された対象物が作業対象であるかどうかを直接的に確認することはできず、したがって、作業対象の形態や作業環境によっては、作業対象の取り違えが生じる恐れがあり、また、確認作業が必要となることから作業効率の低下も懸念される。
【０００６】
本発明は上記に鑑みてなされたものであり、正確かつ効率的に作業対象の確認を行うことができるＩＣタグ認識システムを提供することを目的とする。
【課題を解決するための手段】
【０００７】
上記目的を達成するために、本発明は、対象物に設置されるＩＣタグと、前記ＩＣタグに電磁波を照射する照射装置と、前記対象物の識別情報及び作業情報等の各種情報を管理する情報管理装置とを備えたＩＣタグ認識システムであって、前記ＩＣタグは、前記対象物の識別情報を格納する記憶部と、前記照射装置からの電磁波に基づいて電源を起動する電源部と、前記ＩＣタグにおける電波信号の送受信を行う電波通信部と、作業者に情報を報知するための発光部と、前記電源部により前記ＩＣタグが起動されると、前記記憶部に記憶された識別情報を前記電波通信部を介して送信し、その識別情報を用いて前記情報管理装置で行われる作業情報に関する照合処理の結果に基づいて、前記発光部を制御する識別制御部とを備えたものとする。
【発明の効果】
【０００８】
本発明によれば、正確かつ効率的に作業対象の確認を行うことができる。
【図面の簡単な説明】
【０００９】
【図１】第１の実施の形態におけるＩＣタグ認識システムの全体構成を概略的に示す図である。
【図２】情報管理装置における情報管理制御部のメモリ回路に記憶された作業情報及び照合結果のデータテーブルを示す図である。
【図３】複数の作業対象物のそれぞれに予めＩＣタグを配置し、遠隔操作可能な作業機械によって作業を行う場合を示す図である。
【図４】第２の実施の形態に係るＩＣタグ認識システムの全体構成を概略的に示す図である。
【図５】第３の実施の形態に係るＩＣタグ認識システムの全体構成を概略的に示す図である。
【図６】ＩＣタグの構成を概略的に示す図である。
【図７】ＩＣタグの構成を概略的に示す図である。
【図８】その他の本実施の形態におけるＩＣタグ読取装置を概略的に示す図である。
【発明を実施するための形態】
【００１０】
以下、本発明の実施の形態を図面を参照しつつ説明する。
【００１１】
＜第１の実施の形態＞
図１は、本発明の第１の実施の形態におけるＩＣタグ認識システムの全体構成を概略的に示す図である。
【００１２】
図１において、ＩＣタグ認識システムは、対象物などに設置されるＩＣタグ１００と、ＩＣタグ１００にレーザ光などの調整された電磁波を照射する照射装置３００と、対象物の識別情報及び作業情報等の各種情報を管理する情報管理装置２００とを備えている。
【００１３】
対象物の識別情報とは、対象物にそれぞれ割り当てられた認識番号等の情報であり、対象物と識別情報とが１対１で対応付けられている。また、対象物の作業情報とは、作業の順番や進捗状態を示す情報であり、識別情報と作業情報が対象物についてそれぞれ１対１で対応付けられている。
【００１４】
ＩＣタグ１００は、フォトダイオードなどから構成される受光部１０１と、照射装置３００から受光部１０１に照射されるレーザ光（電磁波）３０１に基づいて電源の起動や遮断を行う電源部１０２と、対象物の識別情報を予め格納するメモリ回路（記憶部）１０９と、ＩＣタグ１００における電波信号１１７の送受信を行う電波通信部と、作業者に情報を報知するための発光ダイオードなどの発光部１１０と、電源部１０２によりＩＣタグが起動されると、メモリ回路１０９に記憶された識別情報を電波通信部を介して送信し、識別情報を用いて情報管理装置２００で行われる作業情報に関する照合処理（後述）の結果に基づいて発光部１１０を制御する識別制御部１０８とを備えている。メモリ回路（記憶部）１０９と識別制御部１０８は、ＩＣタグ１００の動作を制御するＩＣタグ制御部１０７の一部を構成している。
【００１５】
電源部１０２は、タイマー機能を有しており、受光部１０１に電磁波３０１が照射されてＩＣタグ１００の電源が起動されてから予め定めた時間（遮断時間）が経過すると、ＩＣタグ１００の電源を遮断するように設定されている。また、ＩＣタグ１００の電源が起動された状態で受光部１０１に電磁波３０１を照射することにより、遮断時間の経過前においてもＩＣタグ１００の電源を遮断することができる。つまり、ＩＣタグ１００の電源は作業者により起動の必要が無い場合は、遮断状態である。
【００１６】
また、ＩＣタグ１００は、識別制御部１０８からの信号を変調する変調回路１０４と、変調回路１０４からの信号をキャリア（搬送波）にのせるクロック回路１０５と、信号を電波信号１１７として情報管理装置２００との間で送受信する通信アンテナ１０６と、通信アンテナ１０６で受信した電波信号１１７を復調する復調回路１０３とを備えており、これらは、ＩＣタグ１００における電波信号１１７の送受信を行う電波通信部を構成している。
【００１７】
情報管理装置２００は、管理部２１０と送受信モジュール部２２０とを備えている。管理部２１０は、例えば、ＰＣ端末であり、送受信モジュール部２２０での照合処理の結果（ＩＣタグ１００の識別情報や照合結果）等を表示する表示部２１１と、各種設定値や情報を入力するための入力部２１２とを備えている。
【００１８】
送受信モジュール部２２０は、作業情報等の各種情報が予め格納されるメモリ回路２２３と、情報管理装置２００における電波信号１１７の送受信を行う電波通信部と、ＩＣタグ１００からの識別情報とメモリ回路２２３に記憶された作業情報とに基づいて照合処理を行い、電波通信部を介してＩＣタグ１００に送る情報管理制御部２２２とを備えている。メモリ回路２２３と情報管理制御部２２２は、送受信モジュール部２２０の動作を制御する情報管理制御部２２１の一部を構成している。
【００１９】
また、情報管理装置２００の送受信モジュール部２２０は、信号を電波信号１１７としてＩＣタグ１００との間で送受信する通信アンテナ２２７と、通信アンテナ２２７で受信した電波信号１１７を復調する復調回路２２５と、情報管理制御部２２０での照合処理の結果の信号を変調する変調回路２２４と、送受信の信号の流れを調整するサーキュレータ２２６とを備えており、これらは、ＩＣタグ１００における電波信号１１７の送受信を行う電波通信部を構成している。
【００２０】
図２は、情報管理装置における情報管理制御部のメモリ回路に記憶された作業情報及び照合結果のデータテーブルを示す図である。
【００２１】
図２において、データテーブル２３０には、照合対象ＩＤ２３０ａとそのＩＤに対応する対象物の名称２３０ｂがそれぞれ対応付けされている。情報管理制御部２２２における照合処理では、例えば、照合対象ＩＤ２３０ａが「００１」の対象物Ａが照合対象の場合にＩＣタグ１００からの識別情報（ＩＣタグＩＤ）２３０ｃが「００２」であれば、識別情報の照合結果は不一致となる。また、ＩＤが「００５」の対象物Ｂが照合対象の場合にＩＣタグ１００からの識別情報２３０ｃが「００５」であれば、識別情報の照合結果は一致となる。なお、本実施の形態では識別情報の照合結果が不一致であることを「ＮＧ」、一致であることを「ＯＫ」と示す。作業情報は、作業の進捗に応じて自動的又は作業者による操作等により遂次更新される。
【００２２】
以上のように構成した本実施の形態における動作を説明する。
【００２３】
まず、作業開始の前準備として、作業の対象物にＩＣタグ１００をそれぞれ配置し、照合対象ＩＤ２３０ａとそのＩＤに対応する対象物の名称２３０ｂをそれぞれ対応付けして、情報管理装置２００における情報管理制御部２２１のメモリ回路２２３に、作業情報のデータテーブルとして記憶する。
【００２４】
続いて、作業者が、照射装置３００（例えばレーザポインタ）によりＩＣタグ１００に電磁波（レーザ光）を照射し、ＩＣタグ１００の電源を起動させる。ＩＣタグ１００の電源が起動されると識別制御部１０８はメモリ回路１０９の識別情報（ＩＣタグＩＤ）２３０ｃを情報管理装置２００に送る。情報管理装置２００では、ＩＣタグ１００からの識別情報に基づいて照会処理を行い、その識別情報が作業情報に基づいた作業対象物であるかどうか（例えば、次の作業対象物であるかどうか）を照会し、照会結果をＩＣタグ１００に送る。ＩＣタグ１００は、照会結果が「ＮＧ」の場合は何もせず、照会結果が「ＯＫ」の場合は、そのＩＣタグ１００が配置された対象物が対象物であること（例えば、次の作業対象物であること）を発光部１１０の点灯（又は、点滅等その他の点灯状態）により作業者に報知する。また、ＩＣタグ１００の識別情報（ＩＣタグＩＤ）及び照会結果は表示部２１１に表示される。
【００２５】
以上のように構成した本実施の形態の効果を説明する。
【００２６】
従来技術において、作業者は、作業対象物に配置されたワイヤレスタグから発信された識別ＩＤ、位置座標、設備属性などの情報をワイヤレス携帯基地局等により確認していた。そして、作業者はワイヤレス携帯基地局に表示された識別ＩＤなどの情報を基に、作業対象であるかどうかを確認していた。しかしながら、従来技術においては、ワイヤレスタグの配置された対象物が作業対象であるかどうかを直接的に確認することはできず、したがって、作業対象の形態や作業環境によっては、作業対象の取り違えが生じる恐れがあり、また、確認作業が必要となることから作業効率の低下も懸念される。
【００２７】
これに対して、本実施の形態においては、対象物に配置されたＩＣタグ１００の識別情報に基づいて情報管理装置２００で作業情報に関する照合処理を行い、その結果を発光部１１０によって作業者に報知するように構成したので、作業者は、その対象物の作業情報をその場で、かつ容易に知ることができる。したがって、作業対象物が該当する作業対象であるかどうかを直接的に確認することができ、また作業対象の取り違えを抑制することができるので、正確かつ効率的に作業対象の確認を行うことができる。
【００２８】
また、レーザ光などの電磁波の照射により電源が起動されるまで、すなわち、ＩＣタグ１００の電源の起動が必要無い場合には、ＩＣタグ１００の電源は遮断状態であり、図示しない内蔵電池の消耗を極力抑制でき、非常に長期間の運用を行うことができる。
【００２９】
以上のように構成した第１の実施の形態には、次のような実施例が考えられる。
【００３０】
図３は、複数（例えば３つ）の作業対象物３１１，３１２，３１３のそれぞれに予めＩＣタグ１００を配置し、遠隔操作可能な作業機械３１０によって作業を行う場合を示す図である。
【００３１】
図３において、作業機械３１０は図示しない遠隔操作装置において操作可能であり、移動装置３１０ｂによる移動や作業アーム３１０ａによる各種作業を遠隔位置から操作することができる。また、作業機械３１０には、カメラ等の撮像装置３１０ｃが設けられており、その画像（又は映像）のデータは無線又は有線の通信路２００ａを介して情報管理装置２００Ａに送られ、表示部２１１Ａに表示される。また、作業機械３１０には、レーザ光（電磁波）３０１を照射する照射装置３００が設けられており、遠隔操作によって作業対象物３１１,３１２，３１３に設けられたＩＣタグ１００に対して電磁波３０１を照射することが可能である。
【００３２】
以上のような本実施例では、まず、作業開始の前準備として、作業対象物３１１，３１２，３１３にＩＣタグ１００をそれぞれ配置し、照合対象ＩＤ２３０ａとそのＩＤに対応する対象物の名称２３０ｂをそれぞれ対応付けして、情報管理装置２００における情報管理制御部２２１のメモリ回路２２３に、作業情報のデータテーブルとして記憶する。続いて、作業者が、撮像装置３１０ｃからの映像を表示部２１１Ａで確認しつつ、遠隔操作によって作業機械３１０を操作することにより、照射装置３００によりＩＣタグ１００に電磁波（レーザ光）を照射し、ＩＣタグ１００の電源を起動させる。ＩＣタグ１００の電源が起動されると識別制御部１０８はメモリ回路１０９の識別情報（ＩＣタグＩＤ）２３０ｃを、作業機械３１０に設けられた通信アンテナ２２７及び通信路２００ａを介して情報管理装置２００Ａに送る。情報管理装置２００Ａでは、ＩＣタグ１００からの識別情報に基づいて照会処理を行い、その識別情報が作業情報に基づいた作業対象物であるかどうか（例えば、次の作業対象物であるかどうか）を照会し、照会結果をＩＣタグ１００に送る。ＩＣタグ１００は、照会結果が「ＮＧ」の場合は何もせず、照会結果が「ＯＫ」の場合は、そのＩＣタグ１００が配置された対象物が対象物であること（例えば、次の作業対象物であること）を発光部１１０の点灯（又は、点滅等その他の点灯状態）により作業者に報知する。また、ＩＣタグ１００の識別情報（ＩＣタグＩＤ）及び照会結果は表示部２１１Ａに表示される。図３では、作業対象物３１２が次の作業対象物であり、そのＩＣタグ１００の発光部１１０が点灯している様子を示している。
【００３３】
以上のような本実施例においては、次のような効果が期待できる。
【００３４】
すなわち、作業対象物３１１，３１２，３１３の置かれている環境が作業者の直接作業に向かない環境である場合を考える。例えば、作業対象物３１１，３１２，３１３が非常に狭い空間に配置される場合、高温多湿等の作業者にとって過酷な環境に配置される場合、或いは、作業者が作業するのには危険な環境に配置される場合などが考えられる。また、これらの環境は予め計画された場合や不慮のトラブル等によって生じる場合も考えられる。このような環境下における作業対象物３１１，３１２，３１３への作業では、作業機械３１０として、その仕様を作業環境に合わせたものを用いる。
【００３５】
したがって、本実施例においては、対象物に配置されたＩＣタグ１００の識別情報に基づいて情報管理装置２００Ａで作業情報に関する照合処理を行い、その結果を発光部１１０によって作業者に報知するように構成したので、作業者は、その対象物の作業情報をその場で、かつ容易に知ることができる。したがって、対象物の配置や画像の要因によって視認性の悪い環境での作業であっても、作業対象物が該当する作業対象であるかどうかを発光部１１０の発光により直接的に確認することができ、また作業対象の取り違えを抑制することができるので、正確かつ効率的に作業対象の確認を行うことができる。
【００３６】
＜第２の実施の形態＞
本発明の第２の実施の形態を図面を参照しつつ説明する。
【００３７】
本実施の形態は、第１の実施の形態における情報管理装置２００において、管理部２１０に替えて、フォトダイオードなどから構成される受光部１０１と、照射装置３００から受光部１０１に照射されるレーザ光（電磁波）３０１に基づいて電源の起動や遮断を行う電源部１０２と、作業者に情報を報知するための発光ダイオードなどの発光部１１０とを設けた情報管理装置２００Ｂを用いたものである。
【００３８】
図４は、本実施の形態に係るＩＣタグ認識システムの全体構成を概略的に示す図である。図中、第１の実施の形態と同様の部材には同じ符号を付し説明を省略する。
【００３９】
図４に示すように、本実施の形態では、作業対象物としての端子４１１を複数配置した端子台４１０に、端子４１１に接続するための接続端子４００ａを端部に有する複数（例えば２本）のケーブル４００を接続する場合を示している。
【００４０】
端子台４１０に設けられた複数の端子４１１のそれぞれに対応してＩＣタグ１００が設けられている。また、ケーブル４００の先端部にはそれぞれＩＣタグの様態を有する情報管理装置２００Ｂが設けられている。
【００４１】
すなわち、情報管理装置２００Ｂは、フォトダイオードなどから構成される受光部と、照射装置から受光部に照射されるレーザ光（電磁波）に基づいて電源の起動や遮断を行う電源部と、作業情報等の各種情報が予め格納されるメモリ回路と、情報管理装置２００Ｂにおける電波信号の送受信を行う電波通信部と、作業者に情報を報知するための発光ダイオードなどの発光部と、ＩＣタグ１００からの識別情報とメモリ回路に記憶された作業情報とに基づいて照合処理を行い、電波通信部を介してＩＣタグ１００に送る情報管理制御部とを備えている。
【００４２】
以上のように構成した本実施の形態における動作を説明する。
【００４３】
まず、作業開始の前準備として、作業の対象物である複数の端子４１１のそれぞれに対応してＩＣタグ１００を配置し、照合対象ＩＤとそのＩＤに対応する対象物の名称をそれぞれ対応付けして、情報管理装置２００Ｂに作業情報のデータテーブルとして記憶する。
【００４４】
続いて、作業者が、照射装置３００により、ＩＣタグ１００及び情報管理装置２００Ｂに電磁波（レーザ光）を照射し、ＩＣタグ１００及び情報管理装置２００Ｂの電源を起動させる。ＩＣタグ１００の電源が起動されると識別制御部はメモリ回路の識別情報（ＩＣタグＩＤ）を情報管理装置２００Ｂに送る。情報管理装置２００Ｂでは、ＩＣタグ１００からの識別情報に基づいて照会処理を行い、その識別情報が作業情報に基づいた作業対象物であるかどうか（例えば、次の作業対象物であるかどうか）を照会し、照会結果をＩＣタグ１００に送るとともに、照会結果が「ＮＧ」の場合は何もせず、照会結果が「ＯＫ」の場合は、そのＩＣタグ１００が配置された端子４１１が接続端子４００ａの接続対象であること（例えば、次の作業対象物であること）を発光部の点灯（又は、点滅等その他の点灯状態）により作業者に報知する。また、ＩＣタグ１００は、照会結果が「ＮＧ」の場合は何もせず、そのＩＣタグ１００が配置された端子４１１が接続端子４００ａの接続対象であること（例えば、次の作業対象物であること）を発光部の点灯（又は、点滅等その他の点灯状態）により作業者に報知する。
【００４５】
以上のように構成した本実施の形態においても、第１の実施の形態と同様の効果を得ることができる。
【００４６】
＜第３の実施の形態＞
本発明の第３の実施の形態を図面を参照しつつ説明する。
【００４７】
本実施の形態は、第１の実施の形態におけるＩＣタグ１００と情報管理装置２００との間の通信経路上に、電波信号の伝達に係るＩＣタグ１００Ｅ，１００Ｆを設けたものである。
【００４８】
図５は、本実施の形態に係るＩＣタグ認識システムの全体構成を概略的に示す図である。図中、第１の実施の形態と同様の部材には同じ符号を付し、説明を省略する。
【００４９】
図５において、ＩＣタグ認識システムは、作業対象である対象物５００に設置されるＩＣタグ１００Ｄと、対象物５００に対して遠隔位置に配置された他の対象物（図示せず）の近くに配置され、対象物５００に配置された無線ＩＣタグ１０９Ｄに記録された識別情報及び対象物５００に対する作業情報等の各種情報を管理する情報管理装置２００と、対象物５００と他の対象物の接続に供されるケーブル５０１の両端部にそれぞれ配置され、ＩＣタグ１００Ｄと情報管理装置２００との間の電波信号の伝達に係るＩＣタグ１００Ｅ，１００Ｆと、ＩＣタグ１００Ｄ，１００Ｅ，１００Ｆにレーザ光などの調整された電磁波を照射する照射装置３００とを備えている。
【００５０】
ＩＣタグ１００Ｅは、ケーブル５０１の対象物５００側に配置されており、ＩＣタグ１００Ｆは情報管理装置２００側に配置されている。ＩＣタグ１００Ｄ，１００Ｅ，１００Ｆは、無線ＩＣタグ１０９Ｄの識別情報を読み取る機能を有しており、その識別情報を無線通信１１７Ｅ，１１７Ｆやケーブル５０１を介して情報管理部２００に送り、その照会結果に基づいて発光部１１０の動作を制御ししている。
【００５１】
図６は、ＩＣタグ１００Ｅの構成を示す図であり、図７はＩＣタグ１００Ｆの構成を示す図である。
【００５２】
図６において、ＩＣタグ１００Ｅは、フォトダイオードなどから構成される受光部１０１と、照射装置３００から受光部１０１に照射されるレーザ光（電磁波）３０１に基づいて電源の起動や遮断を行う電源部１０２と、対象物５００の識別情報が記録されてケーブル５０１に設置された無線ＩＣタグ１０９Ｄの識別情報を読み取る読取部１１３と、ＩＣタグ１００Ｅにおける電波信号１１７Ｅの送受信を行う電波通信部と、作業者に情報を報知するための発光ダイオードなどの発光部１１０と、電源部１０２によりＩＣタグが起動されると、ＩＣタグ１００Ｄから電波通信部を介して受信した識別情報と無線ＩＣタグ１０９Ｄから読み取った識別情報とを有線通信部１１１、ケーブル５００の線路５０１Ｅ，５０１Ｆ、及びＩＣタグ１００Ｆを介して情報管理装置２００に送り、その識別情報を用いて情報管理装置２００で行われる作業情報に関する照合処理の結果に基づいて発光部１１０を制御する識別制御部１０８とを備えている。読取部１１３と識別制御部１０８は、ＩＣタグ１００Ｅの動作を制御するＩＣタグ制御部１０７Ｅの一部を構成している。
【００５３】
また、ＩＣタグ１００Ｅは、識別制御部１０８からの信号を変調する変調回路１０４と、変調回路１０４からの信号をキャリア（搬送波）にのせるクロック回路１０５と、信号を電波信号１１７ＥとしてＩＣタグ１００Ｄとの間で送受信する通信アンテナ１０６Ｅと、通信アンテナ１０６Ｅで受信した電波信号１１７Ｅを復調する復調回路１０３とを備えており、これらは、ＩＣタグ１００Ｅにおける電波信号１１７Ｅの送受信を行う電波通信部を構成している。
【００５４】
図７において、ＩＣタグ１００Ｆは、フォトダイオードなどから構成される受光部１０１と、照射装置３００から受光部１０１に照射されるレーザ光（電磁波）３０１に基づいて電源の起動や遮断を行う電源部１０２と、対象物５００の識別情報が記録されてケーブル５０１に設置された無線ＩＣタグ１０９Ｄの識別情報を読み取る読取部１１３と、ＩＣタグ１００Ｆにおける電波信号１１７Ｆの送受信を行う電波通信部と、作業者に情報を報知するための発光ダイオードなどの発光部１１０と、電源部１０２によりＩＣタグが起動されると、ＩＤタグ１００Ｅからケーブル５０１を介して受信した識別情報と無線ＩＣタグ１０９Ｄから読み取った識別情報とを電波信号１１７Ｆを介して情報管理部２００に送り、その識別情報を用いて情報管理装置２００で行われる作業情報に関する照合処理の結果に基づいて発光部１１０を制御するとともに、その照会結果を有線通信部１１１、ケーブル５００の線路５０１Ｆ，５０１Ｅ、及びＩＣタグ１００Ｅを介してＩＣタグ１００Ｄに送る識別制御部１０８とを備えている。読取部１１３と識別制御部１０８は、ＩＣタグ１００Ｆの動作を制御するＩＣタグ制御部１０７Ｆの一部を構成している。
【００５５】
また、ＩＣタグ１００Ｆは、識別制御部１０８からの信号を変調する変調回路１０４と、変調回路１０４からの信号をキャリア（搬送波）にのせるクロック回路１０５と、信号を電波信号１１７Ｆとして情報管理装置２００との間で送受信する通信アンテナ１０６Ｆと、通信アンテナ１０６Ｆで受信した電波信号１１７Ｆを復調する復調回路１０３とを備えており、これらは、ＩＣタグ１００Ｆにおける電波信号１１７Ｆの送受信を行う電波通信部を構成している。
【００５６】
その他の構成は、本発明の第１の実施の形態と同様である。
【００５７】
以上のように構成した本実施の形態においても、第１の実施の形態と同様の効果を得ることができる。
【００５８】
＜その他の実施の形態＞
本発明のその他の実施の形態を図面を参照しつつ説明する。
【００５９】
図８は、本実施の形態におけるＩＣタグ読取装置を概略的に示す図である。図中、第１の実施の形態と同様の部材には同じ符号を付し、説明を省略する。
【００６０】
図８では、複数のＩＣタグ１００を所定の面上に並べて配置したＩＣタグ集合体８０１を示している。各ＩＣタグ１００にはそれぞれ異なる識別情報が記録あれており、情報制御装置２００には、各識別情報と配置の情報が対応して記憶されている。これにより、照射装置３００により、ＩＣタグ１００に電磁波（レーザ光）を照射した場合の発光部１１０の点灯（又は、点滅等その他の点灯状態）を各ＩＣタグ１００で個別に制御することができる。
【００６１】
このようにすると、複数のＩＣタグ１００によるＩＣタグ集合体を群制御して、文字や映像などのさまざまなパターンを面上に表示するように制御することができる。また、ＩＣタグ１００は一つ一つが独立に対象物に貼付することが可能であり、複雑な面にＩＣタグ１００を配置してそこにパターンを表示することができる。すなわち、不定形かつ凹凸があるような面上に複数のＩＣタグ１００を配置して表示機能をもたせることが可能となり、例えば、災害時での速やかな誘導指示などを行うことができる。
【符号の説明】
【００６２】
１００  ＩＣタグ
１０１  受光部
１０２  電源部
１０３  復調回路
１０４  変調回路
１０５  クロック回路
１０６  通信アンテナ
１０７  ＩＣタグ制御部
１０８  識別制御回路
１０９  メモリ回路（記憶部）
１１０  発光部（ＬＥＤ）
２００  情報管理装置
２１０  管理部
２１１  表示部
２１２  入力部
２２０  送受信モジュール部
２２１  制御部
２２２  制御回路
２２３  メモリ回路（記憶部）
２２４  変調回路
２２５  復調回路
２２６  サーキュレータ
２２７  通信アンテナ
３００  レーザ装置（照射装置）
【図１】
2014115730.tif 000003
【図２】
2014115730.tif 000004
【図３】
2014115730.tif 000005
【図４】
2014115730.tif 000006
【図５】
2014115730.tif 000007
【図６】
2014115730.tif 000008
【図７】
2014115730.tif 000009
【図８】
2014115730.tif 000010